(57)【要約】【課題】発光色の異なる複数の光源から発せられる色光を時分割して表示を行う表示装置において、高輝度が必要とされる使用環境にも容易に対応することができるプロジェクタ、表示装置、及びそれらの駆動方法を提供する。【解決手段】本発明の表示装置は、発光色の異なる複数の光源２０Ｒ、２０Ｇ、２０Ｂと、前記各光源から照射される色光を変調する液晶ライトバルブ４０とを備え、前記複数の光源を時間順次に発光させるとともに、前記光源から照射される色光に同期して前記光変調手段を時間順次に駆動するようになっており、前記各光源２０Ｒ、２０Ｇ、２０Ｂを時間順次に発光させる表示光制御部（信号パターン６６、駆動信号生成部６７）と、該表示光制御部とは独立に所定の出力で前記各光源を連続発光させるオフセット光制御部（オフセット光印加部６８）とを有する光源駆動回路６０を備えている。【選択図】        図１
2004317558.tif 000002
【特許請求の範囲】
【請求項１】
発光色の異なる複数の光源と、該光源から照射される色光を変調する光変調手段とを備え、前記複数の光源を時間順次に発光させるとともに、前記光源から照射される色光に同期して前記光変調手段を時間順次に駆動する表示装置であって、
前記各光源を時間順次に発光させる表示光制御部と、該表示光制御部とは独立に所定の出力で前記各光源を連続発光させるオフセット光制御部とを有する光源制御手段を備えていることを特徴とする表示装置。
【請求項２】
前記表示光制御部による光源制御と、前記オフセット光制御部による光源制御とが切替自在とされていることを特徴とする請求項１に記載の表示装置。
【請求項３】
前記オフセット光制御部が前記各光源を所定の出力比で発光させることにより、当該表示装置の表示輝度を調整可能とされていることを特徴とする請求項１に記載の表示装置。
【請求項４】
前記各光源の発光量を測定可能とされた測光手段を備えており、
前記光源制御手段が、前記測光手段から出力される測光結果に基づき前記各光源の出力を制御可能とされていることを特徴とする請求項１ないし３のいずれか１項に記載の表示装置。
【請求項５】
前記光源制御手段が、前記光量検知手段の測光結果に基づき、前記各光源の出力を調整して前記各色光間の色バランスを調整可能とされていることを特徴とする請求項４に記載の表示装置。
【請求項６】
前記複数の光源のいずれかの発光量が所定光量以下であるとき、前記オフセット光制御部により、前記光源が所定出力で連続発光されることを特徴とする請求項４又は５に記載の表示装置。
【請求項７】
前記オフセット光制御部が、前記複数の光源のそれぞれに対応して設けられていることを特徴とする請求項１ないし６のいずれか１項に記載の表示装置。
【請求項８】
請求項１ないし７のいずれか１項に記載の表示装置と、前記光変調手段により変調された光を投射する投射手段とを備えたことを特徴とするプロジェクタ。
【請求項９】
発光色の異なる複数の光源と、該光源から照射される色光を変調する光変調手段とを備え、前記複数の光源を時間順次に発光させるとともに、前記光源から照射される色光に同期して前記光変調手段を時間順次に駆動する表示装置の駆動方法であって、
前記複数の光源を時間順次に発光させる表示光制御部と、前記複数の光源を所定の出力で連続発光させるオフセット光制御部とを有する光源制御手段を備えた表示装置を用い、
前記複数の光源を表示光制御部により時間順次に発光させて表示を行うモードと、前記オフセット光制御部により前記光源を所定の出力で連続発光させて表示を行うモードとを自在に切替ながら画像を表示することを特徴とする表示装置の駆動方法。
【請求項１０】
発光色の異なる複数の光源と、該光源から照射される色光を変調する光変調手段とを備え、前記複数の光源を時間順次に発光させるとともに、前記光源から照射される色光に同期して前記光変調手段を時間順次に駆動する表示装置の駆動方法であって、
前記複数の光源を時間順次に発光させる表示光制御部と、前記複数の光源を所定の出力で連続発光させるオフセット光制御部とを有する光源制御手段を備えた表示装置を用い、
前記複数の光源を表示光制御部により時間順次に発光させるとともに、前記オフセット光制御部により所定の出力で連続発光させて表示を行うことを特徴とする表示装置の駆動方法。
【請求項１１】
前記光源の発光量を測定可能とされた測光手段を備えた表示装置を用い、
前記測光手段による測光結果に基づいて、前記光源制御手段により、前記各光源から出力される各色光間の色バランスを調整することを特徴とする請求項９又は１０に記載の表示装置の駆動方法。
【発明の詳細な説明】
【０００１】
【発明の属する技術分野】
本発明は、プロジェクタ、表示装置、及びそれらの駆動方法に関するものである。
【０００２】
【従来の技術】
従来のプロジェクタでは古くはハロゲンランプ、近年は高輝度、高効率、長寿命の高圧水銀ランプ（ＵＨＰ）が、光源として多く用いられてきた。しかしこれらのランプは高圧の電源回路を要し、大型で重いこの電源回路がプロジェクタの小型軽量化の妨げとなっていた。
そこで最近、新しい光源としてＬＥＤが注目されている。ＬＥＤは超小型・超軽量、長寿命である。プロジェクタの光源としても有望であり、既に小型・携帯用小画面プロジェクタへの応用開発が始まっている（特許文献１参照）。現在のところ、ＬＥＤの効率はまだＵＨＰの１／２〜１／３程度であるが、めざましい技術革新により年々着実に向上しつつある。
【０００３】
また、放電型のランプであるＵＨＰを用いた光源では、前記の様な大型・短寿命等の課題の他、光源の制御（高速の点灯・消灯、変調）がほぼ不可能であるという問題もある。すなわち、放電型ランプは一定出力・連続点灯での使用に限られ、また立ち上げに数分程度の長い時間を要していた。それに対してＬＥＤは駆動電流の制御によって、点灯・消灯、出射光量の調整が自由にできるという利点を有している。
【０００４】
【特許文献１】
特開２０００−１１２０３１号公報
【０００５】
【発明が解決しようとする課題】
ところで、特にローコストで携帯性を重視するタイプのプロジェクタにおいては、液晶ライトバルブ等の光変調手段を１つしか持たない、いわゆる単板プロジェクタの構成が有利である。ＵＨＰ等の白色光源を用いた単板プロジェクタでは、通常回転型カラーフィルタを用いて、時分割的（タイムシーケンシャル）にＲＧＢの原色光を選択し、それと同期して空間光変調器の各画素をＯＮ／ＯＦＦすることにより映像を作り出している。これに対して、ＬＥＤ光源のプロジェクタではＲＧＢのＬＥＤを高速で順次点灯することが可能であるため、これにより同様のタイムシーケンシャルにＲＧＢが入れ替る原色光を作り出す構成とするのが一般的な考え方である。
【０００６】
ＬＥＤ光源は、上記のように小型、携帯用の小画面プロジェクタには好適であるものの、現時点ではＬＥＤの効率はＵＨＰに遠く及ばず、将来高くなる見通しはあるものの、今後数年〜１０数年のうちには高輝度の製品の開発は極めて困難であると言わざるを得ない。また、上記構成の単板プロジェクタでは、各色のＬＥＤが時間順次に点灯され、瞬間的には常にＲＧＢのいずれか１色のみの出力となっているために高輝度化しにくい。また現時点では、発光色によってＬＥＤの効率が大きく異なっているため、色バランスを取るために暗いＬＥＤに他のＬＥＤを合わせざるを得ないことも、ＬＥＤ光源プロジェクタを高輝度化するための障害となっている。
【０００７】
本発明は、上記課題を解決するために成されたものであって、発光色の異なる複数の光源から発せられる色光を時分割して表示を行う表示装置において、高輝度表示を必要とする使用環境にも容易に対応できるプロジェクタ、表示装置、及びそれらの駆動方法を提供することを目的としている。
【０００８】
【課題を解決するための手段】
小型、携帯用小画面プロジェクタでは、使用環境としてあらゆる場所が想定される。例えば、カメラ付き携帯電話の投射表示デバイスとして室内、公共の場所、屋外等において複数人で映像を楽しむ、といった用途も想像に難くない。その場合、美しい色でじっくりと鑑賞する場合もあれば、屋外等なにより表示輝度が求められる場合もある。
本発明は、上記考察に基づき成されたものであって、これらの使用環境に応じて使用者が快適に映像を鑑賞することが可能な表示装置を提供するものである。
【０００９】
本発明の表示装置は、上記課題を解決するために、発光色の異なる複数の光源と、該光源から照射される色光を変調する光変調手段とを備え、前記複数の光源を時間順次に発光させるとともに、前記光源から照射される色光に同期して前記光変調手段を時間順次に駆動する表示装置であって、前記各光源を時間順次に発光させる表示光制御部と、該表示光制御部とは独立に所定の出力で前記各光源を連続発光させるオフセット光制御部とを有する光源制御手段を備えていることを特徴とする。
この構成によれば、上記表示光制御部とは独立に動作するオフセット光制御部により、前記各光源を自身の発光タイミング以外の時間に連続発光させることができるので、画像の表示に用いられる照明光量を実質的に向上させることができ、必要に応じて高い表示輝度を得ることができる。従って、本発明によれば、使用環境に応じて表示輝度を変更することができ、使用者が快適に映像を鑑賞することができる表示装置を提供することができる。
【００１０】
本発明の表示装置は、前記表示光制御部による光源制御と、前記オフセット光制御部による光源制御とが切替自在とされていてもよい。この構成によれば、時間順次に光源を発光させて表示を行うモードと、光源を連続発光させて表示を行うモードとが切替自在とされているので、美しい色で鑑賞する場合には通常の表示モードで表示を行うことができ、色合いよりも表示輝度が重視されるような場面（昼間の屋外等）では光源を連続発光させる高輝度の表示モードで表示を行うことが可能である。
【００１１】
本発明の表示装置は、前記オフセット光制御部が前記各光源を所定の出力比で発光させることにより、当該表示装置の表示輝度を調整可能とされていることが好ましい。この構成によれば、表示の色合いと、表示輝度とを自在に調整することが可能になるので、さらに細やかに表示輝度を調整しながら映像を鑑賞することが可能になり、使い勝手に優れる表示装置を提供することができる。
【００１２】
本発明の表示装置は、前記各光源の発光量を測定可能とされた測光手段を備えており、前記光源制御手段が、前記測光手段から出力される測光結果に基づき前記各光源の出力を制御可能とされている構成とすることもできる。
この構成によれば、各光源の出力を、実際の発光量に基づき調整することが可能であるため、光量調整時の確度が向上し、高品質の表示画像を提供することが可能になる。
【００１３】
また、上記構成の表示装置では、前記光源制御手段が、前記光量検知手段の測光結果に基づき、前記各光源の出力を調整して前記各色光間の色バランスを調整可能とされていることが好ましい。
この構成によれば、各光源の出力信号を調整するのみならず、実際に光源から出力された発光量を監視することが可能になるため、表示の色バランスを最適に調整することが可能になる。
【００１４】
本発明の表示装置では、前記複数の光源のいずれかの発光量が所定光量以下であるとき、前記オフセット光制御部により、前記光源が所定出力で連続発光される構成も適用できる。
各光源において光量低下等の異常が生じた場合にも、迅速かつ確実に検知することが可能であるため、複数の光源のいずれかの光量が低下したことを検知した場合に、他の光源を前記光量が低下した光源の発光タイミングで発光させて、表示情報が失われるのを防止することが可能である。従って、本構成によれば動作信頼性にも優れる表示装置を提供することができる。
【００１５】
本発明の表示装置は、前記オフセット光制御部が、前記複数の光源のそれぞれに対応して設けられていてもよい。この構成によれば、前記各光源におけるオフセット光を互いに独立に制御できるので、表示輝度の制御のみならず、使用者の好みや使用環境に応じた色調の調整も可能であり、使い勝手のよい表示装置を提供できる。
【００１６】
次に、本発明のプロジェクタは、先に記載の本発明の表示装置と、前記光変調手段により変調された光を投射する投射手段とを備えたことを特徴とする。
この構成によれば、使用環境に応じて表示輝度を変更することができ、使用者が快適に映像を鑑賞することができるプロジェクタを提供できる。
【００１７】
次に、本発明の表示装置の駆動方法は、発光色の異なる複数の光源と、該光源から照射される色光を変調する光変調手段とを備え、前記複数の光源を時間順次に発光させるとともに、前記光源から照射される色光に同期して前記光変調手段を時間順次に駆動する表示装置の駆動方法であって、前記複数の光源を時間順次に発光させる表示光制御部と、前記複数の光源を所定の出力で連続発光させるオフセット光制御部とを有する光源制御手段を備えた表示装置を用い、前記複数の光源を表示光制御部により時間順次に発光させて表示を行うモードと、前記オフセット光制御部により前記光源を所定の出力で連続発光させて表示を行うモードとを自在に切替ながら画像を表示することを特徴とする。
この駆動方法によれば、時間順次に光源を発光させて表示を行うモードと、光源を連続発光させて表示を行うモードとを自在に切り替えて表示を行うので、美しい色で鑑賞する場合には通常の表示モードで表示を行うことができ、色合いよりも表示輝度が重視されるような場面（昼間の屋外等）では光源を連続発光させる高輝度の表示モードで表示を行うことが可能である。
【００１８】
本発明の表示装置の駆動方法は、発光色の異なる複数の光源と、該光源から照射される色光を変調する光変調手段とを備え、前記複数の光源を時間順次に発光させるとともに、前記光源から照射される色光に同期して前記光変調手段を時間順次に駆動する表示装置の駆動方法であって、前記複数の光源を時間順次に発光させる表示光制御部と、前記複数の光源を所定の出力で連続発光させるオフセット光制御部とを有する光源制御手段を備えた表示装置を用い、前記複数の光源を表示光制御部により時間順次に発光させるとともに、前記オフセット光制御部により所定の出力で連続発光させて表示を行うことを特徴とする。
この駆動方法によれば、表示の色合いと、表示輝度とを自在に調整することができるので、さらに細やかに表示輝度を調整しながら映像を鑑賞することが可能になる。
【００１９】
本発明の表示装置の駆動方法は、前記光源の発光量を測定可能とされた測光手段を備えた表示装置を用い、前記測光手段による測光結果に基づいて、前記光源制御手段により、前記各光源から出力される各色光間の色バランスを調整することを特徴とする。
この駆動方法によれば、各光源の出力を、実際の発光量に基づき調整することが可能であるため、光量調整時の確度が向上し、高品質の表示画像を提供することが可能になる。
【００２０】
本発明の表示装置の駆動方法は、前記測光手段による測光結果において、前記複数の光源のいずれかの光量が所定光量以下となったとき、前記オフセット光制御部により前記光源を所定の出力で連続発光させて表示輝度を補償することを特徴とする。
この駆動方法によれば、仮にいずれかの光源において発光量の低下が生じたとしても、他の光源でその輝度を補償して表示を行うので、色調に変化は生じるものの、表示情報までが失われることはないため、安全に表示動作を行うことが可能である。
【００２１】
【発明の実施の形態】
以下、本発明の実施の形態を図面を参照して説明する。
［表示装置］
図１は、本発明に係る表示装置の一実施の形態である投射型表示装置（プロジェクタ）を示す概略構成図であり、図２は、本実施形態の投射型表示装置の表示動作におけるタイミングチャートである。図１に示す投射型液晶表示装置は、１つの液晶ライトバルブ（光変調手段）で各色に対応する画像を順次切り換えて投射し、カラー表示を実現するものである。図中、符号１０は照明装置、３０は光量センサ（測光手段）、４０は液晶ライトバルブ（光変調手段）、５０は投射手段（投射レンズ）を示す。
【００２２】
照明装置１０は、赤色光を射出する光源２０Ｒと、緑色光を射出する光源２０Ｇと、青色光を射出する光源２０Ｂとを主体として構成されており、赤色光、緑色光、青色光を例えば１８０分の１秒ごとに時間順次に切り替えて出力することができるようになっている。光源２０Ｒ、２０Ｇ、２０Ｂは、発光ダイオード（ＬＥＤ）や、有機エレクトロルミネッセンス素子（有機ＥＬ素子）や、無機エレクトロルミネッセンス素子（無機ＥＬ素子）等により構成することができる
【００２３】
上記光量センサ３０は、例えばフォトダイオードやフォトトランジスタ等の能動素子を備えたものを適用でき、本実施形態の場合、前記光量センサ３０からの出力を増幅する信号増幅手段６１と、増幅された出力信号をアナログ信号からデジタル信号に変換するＡ／Ｄ変換器６２とを介して光源駆動回路（光源制御手段）６０に接続されている。光源駆動回路６０は、上記３個の光源２０Ｒ、２０Ｇ、２０Ｂに接続されてこれらの光源の出力（発光量、発光タイミング等）を制御可能に構成されている。
【００２４】
尚、図１には、上記光量センサ３０と、信号増幅手段６１と、Ａ／Ｄ変換器６２とが、１組のみ設けられているように図示しているが、実際には、前記光源２０Ｒ、２０Ｇ、２０Ｂのそれぞれに対応して少なくとも１個ずつの光量センサ３０が設けられるとともに、各光量センサ３０に対して、信号増幅手段６１と、Ａ／Ｄ変換器６２とが設けられており、前記各光源２０Ｒ、２０Ｇ、２０Ｂのそれぞれの光量を測定することができるようになっている。
【００２５】
光源駆動回路６０は、図１に示すように、信号パターン記憶部６６と、駆動信号生成部６７と、オフセット光印加部６８と、演算手段６５と、Ｄ／Ａ変換部６４ａ〜６４ｃとを主体として構成されている。前記各Ｄ／Ａ変換部６４ａ〜６４ｃは、入力側を前記演算手段６５に接続されるとともに、出力側をそれぞれ対応する光源２０Ｒ、２０Ｇ、２０Ｂに接続されており、前記演算手段６５から出力されるデジタル信号をアナログ信号に変換して各光源に出力するようになっている。
前記演算手段６５は、前記信号パターン記憶部６６と、オフセット光印加部６８と、駆動信号生成部６７と接続されるとともに、前記光量センサ３０と接続されている。
【００２６】
上記投射型表示装置は、照明装置１０から時間順次に射出される各色光に同期して液晶ライトバルブ４０の表示を時間順次に切り替え、液晶ライトバルブ４０により変調された色光を投射装置５０を介してスクリーン等に投射するようになっている。
具体的には、図２に示すように、１フレームを３つに時分割し、光源２０Ｒ、２０Ｇ、２０Ｂから順次赤色光、青色光、緑色光を出射させるとともに、光源２０Ｒ、２０Ｇ、２０Ｂから照射される光の発光タイミングに合わせて液晶ライトバルブ４０を駆動し、それぞれの色光に対応した画像信号を出力する。赤色光（Ｒ）が出力されている間には、液晶ライトバルブ４０により、赤色光（Ｒ）に対応した画像信号ＳＲが出力される。他の色光についても同様に、光源２０Ｇ、２０Ｂにより、緑色光（Ｇ）又は青色光（Ｂ）が出力されている間には、液晶ライトバルブ４０によりそれぞれの色光に対応する画像信号ＳＧ、あるいは画像信号ＳＢが出力される。そして、１フレーム毎に、赤色光、緑色光、青色光に対応した画像信号ＳＲ，ＳＧ，ＳＢに基づきカラー画像を合成して表示することができるようになっている。
【００２７】
本実施形態に係る光源駆動回路６０は、通常の表示動作を行うに際しては、前記演算手段６５において信号パターン記憶部６６からの出力（信号パターン）と、駆動信号生成部６７からの出力（駆動波形及びタイミング信号）に基づき各光源に対して出力する光源駆動信号を生成し、各Ｄ／Ａ変換部６４ａ〜６４ｃを介して各光源２０Ｒ、２０Ｇ、２０Ｂに対して前記光源駆動信号を出力することで各光源２０Ｒ、２０Ｇ、２０Ｂを時間順次に発光させる。従って、本実施形態の光源駆動回路６０において、各光源を時間順次に発光させる表示光制御部は、信号パターン記憶部６６と、駆動信号生成部６７と、演算手段６５とを主体として構成されている。
【００２８】
本実施形態の投射型表示装置では、上記表示動作に際して、前記光量センサ３０により各光源２０Ｒ、２０Ｇ、２０Ｂの発光量を測定するようになっており、係る測定結果が光源駆動回路６０に対して送信され、各光源の発光状態を監視するようになっている。これにより、前記演算手段６５による光源駆動信号の生成に際して、光量センサ３０から信号増幅手段６１及びＡ／Ｄ変換部６２を介して入力されたフィードバック情報（各光源の実際の発光量）に基づき、各光源２０Ｒ、２０Ｇ、２０Ｂの出力を調整することもできるようになっている。具体例を挙げると、例えば各光源２０Ｒ、２０Ｇ、２０Ｂに出力される光源駆動信号における出力バランスと、光量センサ３０に検知された光量バランスとに乖離があった場合に、予め記憶しておいた光量バランスが得られるように各光源の出力バランスを調整することができる。あるいは、使用者の好み等により調整されたパラメータを反映させることで、特定色が強調された色調の表示等を行うこともできる。
【００２９】
また、光源駆動回路６０には、オフセット光印加部６８が設けられており、このオフセット光印加部６８からの出力に基づき、前記演算手段６５は、前記各光源２０Ｒ、２０Ｇ、２０Ｂを時間順次に発光させる信号と、前記各光源を所定出力で連続発光させる信号とを重畳して光源駆動信号を生成し、Ｄ／Ａ変換部６４ａ〜６４ｃを介して光源２０Ｒ、２０Ｇ、２０Ｂに対して出力するようになっている。この場合、各光源２０Ｒ、２０Ｇ、２０Ｂは、表示画像を生成するための発光タイミング以外の時間に所定出力で連続発光されるため、液晶ライトバルブ４０に照射される光量が増加して表示輝度が向上する。
本実施形態の光源駆動回路６０において、各光源を所定の出力で連続発光させるオフセット光制御部は、上記オフセット光印加部６８と、演算手段６５とを主体として構成されている。
【００３０】
上記では各光源２０Ｒ、２０Ｇ、２０Ｂを時間順次に発光させる信号と、所定出力で連続発光させる信号とを演算手段６５により重畳して光源駆動信号を生成しているが、上記オフセット光印加部６８が動作している場合に、上記時間順次に発光させる信号を停止し、各光源を連続発光させる信号のみを光源駆動信号として出力するように動作させることもできる。この動作では、光源２０Ｒ、２０Ｇ、２０Ｂから出力される各色光が混色された光が表示光として利用され、投影される表示はモノクロ表示になる。
【００３１】
［駆動方法］
次に、本発明に係る表示装置の駆動方法を、図面を参照して説明する。
上記実施形態の投射型表示装置は、光源２０Ｒ、２０Ｇ、２０Ｂを時間順次に発光させ、これらの光源から照射される色光に応じた画像情報に基づき液晶ライトバルブ４０による光変調を行うことで、カラー画像を表示する通常の表示モードに加え、先の光源駆動回路６０に備えられたオフセット光制御部により前記光源を連続発光させることで表示輝度や色調を変化させて表示を行う表示モードを備えている。前記両表示モードでは、他の表示モードへの切替動作、あるいは両表示モードの混在動作が可能になっている。
【００３２】
図３及び図４は、上記表示装置の駆動方法に係る３形態を説明するためのタイミングチャートであり、図３は、通常の表示モードからオフセット光制御部のみによる表示モードに切り替える場合を示し、図４は、通常の表示モードから、表示光制御部とオフセット光制御部とを併用した表示モードに切り替える場合を示している。
【００３３】
（オフセット光制御部のみによる表示モード）
図３に示すタイミングチャートにおいて、各波形は、光源２０Ｒ、２０Ｇ、２０Ｂの発光タイミングに加え、その高さにより各色光の発光量を概念的に示すものである。また液晶ライトバルブ４０のタイミングチャートは、図２と同様に、画像信号の出力タイミングのみを示している。
【００３４】
図３に示すように、本駆動方法において表示モードの切替を行うと、各光源２０Ｒ、２０Ｇ、２０Ｂは時間順次に発光するのではなく、所定の発光量（図４では最大発光量）で連続発光するようになる。図３に示す例では、各光源は同一の出力とされており、液晶ライトバルブ４０には、ほぼ白色の光が照射され、投射装置５０を介して投射される表示画像は白と黒の間の階調表示となる。
【００３５】
通常の表示モードでは、瞬間的には光源２０Ｒ、２０Ｇ、２０Ｂのいずれか１つのみが発光していることとなるため、表示輝度を各光源の発光量以上にすることはできないが、本駆動方法によれば、光源２０Ｒ、２０Ｇ、２０Ｂを全て連続発光させて表示を行うので、モノクロ表示ではあるものの、通常の表示モードに比して著しく高輝度の表示が可能である。従って、昼間の屋外等、高輝度表示が必要とされる場面においても表示の視認性を確保することが可能になっている。
このように、本駆動方法を備えるならば、ＵＨＰ等に比して低発光効率のＬＥＤ等の固体発光素子を光源に用いながら、必要に応じて高輝度の表示が可能であり、幅広い用途に利用可能な表示装置を提供することができる。
【００３６】
（表示光制御部とオフセット光制御部とを併用した表示モード）
図４に示すタイミングチャートにおいて、各波形は、光源２０Ｒ、２０Ｇ、２０Ｂの発光タイミングに加え、その高さにより各色光の発光量を概念的に示すものである。また液晶ライトバルブ４０のタイミングチャートは、図２と同様に、画像信号の出力タイミングのみを示している。
【００３７】
図４に示すように、本駆動方法において表示モードの切り替えを行うと、各光源２０Ｒ、２０Ｇ、２０Ｂは、画像表示を行うための時間順次の発光は維持しながら、自身の発光タイミング以外の時間では、所定出力で連続発光するようになる。例えば、図４に示したタイミングチャートでは、光源２０Ｒの発光タイミングにおいて、光源２０Ｇ、及び光源２０Ｂがそれぞれの最大発光量の１／３程度の発光量で発光する。このようにして、１つの光源の発光タイミングで、他の光源を発光させることで、表示の色度は低下するものの、高輝度の表示が得られるようになる。従って、本駆動方法を備えることによっても、ＵＨＰ等に比して低発光効率のＬＥＤ等の固体発光素子を光源に用いながら、必要に応じて高輝度の表示が可能であり、幅広い用途に利用可能な表示装置を提供することができる。
【００３８】
また、本駆動方法において、上記各光源２０Ｒ、２０Ｇ、２０Ｂの連続発光時の発光量（オフセット量）は、ゼロから光源の最大発光量まで自在に調整することが可能である。従って、使用者の手動操作、あるいは表示装置の使用環境に応じて自動的に、表示輝度を制御することが可能になっている。
【００３９】
また、前記各光源２０Ｒ、２０Ｇ、２０Ｂのそれぞれの連続発光時の発光量は、互いに独立に制御することもでき、例えばレストラン等の黄色がかった明るい照明環境下で画像の投影を行う場合に、上記光源２０Ｒ、２０Ｇ、２０Ｂのうち、光源２０Ｒと光源２０Ｇのオフセット量を比較的多くすることで表示画像の黄色みを増し、上記環境においても自然な色調の画像表示を行うことができるようになる。
【００４０】
さらには、例えば光源２０Ｒの発光量が何らかの理由により低下したことが光量センサ３０の測光結果から検知された場合に、光源２０Ｇ及び２０Ｂにおいてオフセット光を付加して表示を行うようにすることもできる。この場合には、赤色で表示されていた画像要素が白っぽく変化するものの、光量の低下による表示情報の喪失は防止することができるため、高い信頼性を要求される用途にも耐える表示装置を提供することが可能になる。
【００４１】
（回路構成例）
本駆動方法のように、オフセット光の出力を自在に調整可能とする場合、例えば図５に示す回路を、光源駆動回路６０に設けることで実現することができる。図５は、上記駆動方法を適用できる光源駆動回路（光源制御手段）６０の要部を示す回路構成図である。
図５に示すように、光源２０Ｒ（２０Ｇ、２０Ｂ）は、それぞれ駆動信号入力部７４と信号重畳回路７３、飽和回路７２、駆動信号出力部７１ａ（７１ｂ、７１ｃ）を介して接続されている。信号重畳回路７３には、駆動信号入力部７４から、表示光制御部（信号パターン記憶部６６、駆動信号生成部６７）により生成された元駆動波形が入力される一方、オフセット光制御部（オフセット光印加部６８）で生成され、オフセットボリューム７５により出力調整されたオフセット電圧が入力される。そして、前記両波形が重畳された駆動信号が、飽和回路７２に対して出力される。そして、飽和回路７２により、前記信号重畳回路７３による波形の重畳により変化した信号のピークレベルの再調整がなされた後、駆動信号出力部７１ａ（７１ｂ、７１ｃ）から各光源２０Ｒ（２０Ｇ、２０Ｂ）に対して光源駆動信号が出力され、各光源が前記信号に基づく所定の発光動作を行うようになっている。
このように、本実施形態に係る駆動方法は、図５に示す比較的簡素なアナログ回路により容易に実装することが可能である。
【００４２】
図５に示す回路図では、各光源の信号重畳回路７３，…には、１つのオフセットボリューム７５が接続されている構成としているが、このオフセットボリューム７５は、各信号重畳回路７３毎に設けてもよく、このような構成とすることで、表示画像の色バランスを容易に変更することが可能になり、例えばレストラン等の黄色がかった明るい照明環境下で画像の投影を行う場合に、上記光源２０Ｒ、２０Ｇ、２０Ｂのうち、光源２０Ｒと光源２０Ｇのオフセット量を比較的多くすることで表示画像の黄色みを増し、上記環境においても自然な色調の画像表示を行うことができるようになる。
【００４３】
（表示装置の構成例）
図６は、上記実施形態の投射型表示装置の一構成例であるフロントプロジェクタを示す斜視図である。このフロントプロジェクタ１２００は、筐体１２００に図１に示した光学系を内蔵しており、前面に設けられた投射レンズ１２０３から画像を投射表示するようになっている。また、筐体上面に、複数の操作部材（ツマミ式ボリュームや押ボタン等）１２０２を有するコントロールパネル１２０１が設けられている。そして、上記操作部材１２０２を操作することによって、オフセット光の出力調整を行うことができ、もって表示輝度を自在に調整することができるようになっている。
【００４４】
図７は、上記実施形態のプロジェクタの他の構成例である形態電話内蔵型のプロジェクタを示す斜視図である。このプロジェクタ１３００は、先の図１に示した光学系を内蔵するとともに、前面に設けられた表示部１３０１に画像を投射表示できるようになっている。また、携帯電話としての機能を提供する操作ボタン１３０２、受話部１３０３、送話部１３０４とともに、表示部１３０１に投射される画像の表示輝度を調整するための操作ボタン１３０５Ｕ、１３０５Ｄ、ないしボリューム１３０６を備えている。
このプロジェクタ１３００では、操作ボタン１３０５Ｕ、１３０５Ｄによる押しボタン操作、あるいは、ボリューム１３０６を回転させる操作により、表示部１３０１に投影される画像の表示輝度を自在に調整できるようになっており、使用環境に応じて適切な輝度の表示が容易に得られるようになっている。
【図面の簡単な説明】
【図１】図１は、本発明に係る表示装置の一実施の形態である投射型表示装置（プロジェクタ）を示す概略構成図。
【図２】図２は、投射型表示装置の表示動作におけるタイミングチャート
【図３】図３は、表示装置の駆動方法に係る形態のタイミングチャート。
【図４】図４は、表示装置の駆動方法に係る形態のタイミングチャート。
【図５】図５は、光源駆動回路の要部を示す回路構成図。
【図６】図６は、実施形態の投射型表示装置の一構成例を示す斜視図。
【図７】図７は、実施形態の投射型表示装置の一構成例を示す斜視図。
【符号の説明】
１０  照明装置、  ２０Ｒ，２０Ｇ，２０Ｂ  光源  ３０  光量センサ（測光手段）、  ４０  液晶ライトバルブ（光変調手段）、  ５０  投射手段（投射レンズ）、６０  光源駆動回路（光源制御手段）、６６  信号パターン記憶部（表示光制御部）、６７  駆動信号生成部（表示光制御部）、６８  オフセット光印加部（オフセット光制御部）
【図１】
2004317558.tif 000003
【図２】
2004317558.tif 000004
【図３】
2004317558.tif 000005
【図４】
2004317558.tif 000006
【図５】
2004317558.tif 000007
【図６】
2004317558.tif 000008
【図７】
2004317558.tif 000009